(57)【要約】      （修正有）【課題】電気的特性を劣化させることなく、電力容量を向上させることが可能な並列運転形ハイブリッド回路を提供する。【解決手段】１個の入出力端子と、ｎ（ｎ≧２）個の分岐・結合端子を有する４個の分岐・結合器と、ｎ個のハイブリッド回路とを有し、前記第１の分岐・結合器のｎ個の分岐・結合端子を、それぞれ前記各ハイブリッド回路の第１の端子に接続し、前記第２の分岐・結合器のｎ個の分岐・結合端子を、それぞれ前記各ハイブリッド回路の第２の端子に接続し、前記第３の分岐・結合器のｎ個の分岐・結合端子を、それぞれ前記各ハイブリッド回路の第３の端子に接続し、前記第４の分岐・結合器のｎ個の分岐・結合端子を、それぞれ前記各ハイブリッド回路の第４の端子に接続する。【選択図】図１
2005311738.tif 000002
【特許請求の範囲】
【請求項１】
１個の入出力端子と、ｎ（ｎ≧２）個の分岐・結合端子を有する４個の分岐・結合器と、
ｎ個のハイブリッド回路とを有し、
前記第１の分岐・結合器のｎ個の分岐・結合端子を、それぞれ前記各ハイブリッド回路の第１の端子に接続し、
前記第２の分岐・結合器のｎ個の分岐・結合端子を、それぞれ前記各ハイブリッド回路の第２の端子に接続し、
前記第３の分岐・結合器のｎ個の分岐・結合端子を、それぞれ前記各ハイブリッド回路の第３の端子に接続し、
前記第４の分岐・結合器のｎ個の分岐・結合端子を、それぞれ前記各ハイブリッド回路の第４の端子に接続したことを特徴とする並列運転形ハイブリッド回路。
【請求項２】
１個の入出力端子と、ｎ（ｎ≧２）個の分岐・結合端子を有する４個の分岐・結合器と、
ｎ個の第１群のハイブリッド回路と、
ｎ個の第２群のハイブリッド回路と、
２ｎ個の帯域通過フィルタとを有し、
前記第１の分岐・結合器のｎ個の分岐・結合端子を、それぞれ前記第１群の各ハイブリッド回路の第１の端子に接続し、
前記第４の分岐・結合器のｎ個の分岐・結合端子を、それぞれ前記第１群の各ハイブリッド回路の第４の端子に接続し、
前記第２の分岐・結合器のｎ個の分岐・結合端子を、それぞれ前記第２群の各ハイブリッド回路の第２の端子に接続し、
前記第３の分岐・結合器のｎ個の分岐・結合端子を、それぞれ前記第２群の各ハイブリッド回路の第３の端子に接続し、
前記第１群の各ハイブリッド回路の第２の端子と、前記第２群の各ハイブリッド回路の第１の端子との間、および、前記第１群の各ハイブリッド回路の第３の端子と、前記第２群の各ハイブリッド回路の第４の端子との間に、それぞれ前記帯域通過フィルタを接続したことを特徴とするＣＩＢ形合波器。
【発明の詳細な説明】
【技術分野】
【０００１】
本発明は、並列運転形ハイブリッド回路およびＣＩＢ形合波器に係り、特に、大電力用のハイブリッド回路に適用して有効な技術に関する。
【背景技術】
【０００２】
移動通信装置、放送装置等において、高周波信号の分岐、あるいは、高周波信号の合成に、ハイブリッド回路が使用される。
図１１は、従来のλ／４結合型３ｄＢハイブリッド回路（以下、単に、ハイブリッド回路という。）の一例の構造を示す模式斜視図である。
図１１に示すように、従来のハイブリッド回路は、シールドケース（筐体）１内に、２個の結合線路（または、ストリップライン）（１１，１２）が配置される。
この結合線路（１１，１２）の線路長（Ｌ）は、ハイブリッド回路の設計中心周波数の波長をλｏとするとき、ほぼλｏ／４（Ｌ≒λｏ／４）とされる。
また、４個の入出力端子（Ｔ１〜Ｔ４）は、それぞれ内部導体（１３１〜１３４）と外部導体（１４１〜１４４）とで構成される同軸給電管で構成され、結合線路１１は、一端が第１の入出力端子（Ｔ１）の内部導体１３１、他端が第３の入出力端子（Ｔ３）の内部導体１３３に接続され、結合線路１２は、一端が第２の入出力端子（Ｔ２）の内部導体１３２に、他端が第４の入出力端子（Ｔ４）の内部導体１３４に接続される。
また、図１１では、内部の構造を理解しやすくするため、シールドケース１は実線で表している。
【発明の開示】
【発明が解決しようとする課題】
【０００３】
近年、従来のアナログ方式のテレビジョン放送の他に、技術の進歩により、デジタル方式のテレビジョン放送が開始されようとしている。
このデジタル方式のテレビジョン放送に採用される直交周波数分割多重（ＯＦＤＭ；Orthogonal Frequency Division Multiplex）変調方式の変調波は、従来のアナログ方式のテレビジョン放送のＮＴＳＣ方式の変調波よりも、ピーク電圧値が大きいという特長を有している。
そのため、直交周波数分割多重変調方式の変調波を分岐、あるいは、合成するために、前述の図１１に示すハイブリッド回路を使用する場合には、大電力の高周波信号を扱う必要があり、ハイブリッド回路での発熱が問題となる。
この発熱の問題を解決するためには、ハイブリッド回路の入出力端子を構成する同軸給電管の外部導体１４の内径、および内部導体１３の外径を大きくする必要がある。
【０００４】
しかしながら、一般に、入出力端子に同軸給電管を使用するλ／４結合型３ｄＢハイブリッド回路では、その伝導モードはＴＥＭモードであるが、入出力端子を構成する同軸給電管の外部導体１４の内径、および内部導体１３の外径を大きくすると、ＴＥ１１（Ｈ１１）モードが発生し、電気的特性が劣化するという問題点ある。
さらに、入出力端子を構成する同軸給電管の外部導体１４の内径、および内部導体１３の外径を大きくすることは、ハイブリッド回路の外径寸法が大きくなるという問題点もある。
本発明は、前記従来技術の問題点を解決するためになされたものであり、本発明の目的は、電気的特性を劣化させることなく、電力容量を向上させることが可能な並列運転形ハイブリッド回路およびＣＩＢ形合波器を提供することにある。
【課題を解決するための手段】
【０００５】
本願において開示される発明のうち、代表的なものの概要を簡単に説明すれば、下記の通りである。
前述の目的を解決するために、本発明の並列形ハイブリッド回路は、４個の分岐・結合器と、ｎ（ｎ≧２）個のハイブリッド回路とを組み合わせ、ｎ個のハイブリッド回路を並列運転して大電力の高周波信号を取り扱うことを最も主要な特徴とする。
即ち、本発明の並列形ハイブリッド回路は、１個の入出力端子と、ｎ（ｎ≧２）個の分岐・結合端子を有する４個の分岐・結合器と、ｎ個のハイブリッド回路とを有し、前記第１の分岐・結合器のｎ個の分岐・結合端子を、それぞれ前記各ハイブリッド回路の第１の端子に接続し、前記第２の分岐・結合器のｎ個の分岐・結合端子を、それぞれ前記各ハイブリッド回路の第２の端子に接続し、前記第３の分岐・結合器のｎ個の分岐・結合端子を、それぞれ前記各ハイブリッド回路の第３の端子に接続し、前記第４の分岐・結合器のｎ個の分岐・結合端子を、それぞれ前記各ハイブリッド回路の第４の端子に接続したことを特徴とする。
また、本発明は、前述の並列形ハイブリッド回路を使用するＣＩＢ形合波器である。
【発明の効果】
【０００６】
本願において開示される発明のうち代表的なものによって得られる効果を簡単に説明すれば、下記の通りである。
本発明の並列運転形ハイブリッド回路およびＣＩＢ形合波器によれば、電気的特性を劣化させることなく、電力容量を向上させることが可能となる。
【発明を実施するための最良の形態】
【０００７】
以下、図面を参照して本発明の実施例を詳細に説明する。
なお、実施例を説明するための全図において、同一機能を有するものは同一符号を付け、その繰り返しの説明は省略する。
［実施例１］
図１は、本発明の実施例１の並列形ハイブリッド回路の回路構成を示す回路図である。
図１に示すように、本実施例の並列形ハイブリッド回路は、１個の入出力端子とｎ（ｎ≧２）個の分岐・結合端子を有する４個の分岐・結合器（Ｂ１〜Ｂ４）と、ｎ個のλ／４結合形３ｄＢハイブリッド回路（Ｈ１〜Ｈｎ）とを組み合わせて構成される。
本実施例において、第１の分岐・結合器（Ｂ１）のｎ個の分岐・結合端子は、それぞれ各ハイブリッド回路（Ｈ１〜Ｈｎ）の第１の端子（Ｔ１１〜Ｔｎ１）に接続され、第４の分岐・結合器（Ｂ４）のｎ個の分岐・結合端子は、それぞれ各ハイブリッド回路（Ｈ１〜Ｈｎ）の第４の端子（Ｔ１４〜Ｔｎ４）に接続される。
同様に、第２の分岐・結合器（Ｂ２）のｎ個の分岐・結合端子は、それぞれ各ハイブリッド回路（Ｈ１〜Ｈｎ）の第２の端子（Ｔ１２〜Ｔｎ２）に接続され、第３の分岐・結合器（Ｂ３）のｎ個の分岐・結合端子は、それぞれ各ハイブリッド回路（Ｈ１〜Ｈｎ）の第３の端子（Ｔ１３〜Ｔｎ３）に接続される。
【０００８】
ここで、第１の分岐・結合器（Ｂ１）の入出力端子（Ｔ１）が、並列形ハイブリッド回路の第１の端子、第４の分岐・結合器（Ｂ４）の入出力端子（Ｔ４）が、並列形ハイブリッド回路の第４の端子、第２の分岐・結合器（Ｂ２）の入出力端子（Ｔ２）が、並列形ハイブリッド回路の第２の端子、および、第３の分岐・結合器（Ｂ３）の入出力端子（Ｔ３）が、並列形ハイブリッド回路の第３の端子となる。
本実施例の並列型ハイブリッド回路において、ｎが２の場合の回路構成を図２に示す。
図３は、図１に示す分岐・結合器（Ｂ１〜Ｂ４）を説明するための図である。
図１、図２に示す分岐・結合器（Ｂ１〜Ｂ４）は、λ／４同軸変成器で構成され、このλ／４同軸変成器のインピーダンスはＺｏ／√ｎとされる。
図３に示す分岐・結合器（Ｂ１〜Ｂ４）の〔Ｓ〕マトリクスは、下記（１）式で表される。したがって、ｎ＝２の時の〔Ｓ〕マトリクスは、下記（２）式、ｎ＝３の時の〔Ｓ〕マトリクスは、下記（３）式となる。
【０００９】
【数１】
2005311738.tif 000003
【００１０】
図２に示す第１の分岐・結合器（Ｂ１）の入出力端子（Ｔ１）に、Ｅｉｎの電圧を入力すると、端子（Ｔ１１，Ｔ２１）に出力される電圧は、下記（４）式で求められる。また、同軸ケーブル（ｌ２、あるいは、ｌｎ）の長さを調整することにより、端子（Ｔ１１，Ｔ２１）に出力される電圧は、下記（５）式とすることもできる。  
【００１１】
【数２】
2005311738.tif 000004
【００１２】
図４は、図１に示すハイブリッド回路（Ｈ１〜Ｈｎ）を説明するための図である。
図４に示すハイブリッド回路において、結合線路長をλ／４、結合係数Ｃを１／√２（Ｃ＝１／√２）とするとき、図４に示すハイブリッド回路の〔Ｓ〕マトリクスは、下記（６）式で表される。
【００１３】
【数３】
2005311738.tif 000005
【００１４】
したがって、図２に示すハイブリッド回路（Ｈ１）の端子（Ｔ１１）、ハイブリッド回路（Ｈ２）の端子（Ｔ２１）に、（−ｊＥｉｎ／√２）の電圧を加えたときに、ハイブリッド回路（Ｈ１）のＴ１２、Ｔ１３、Ｔ１４の各端子、およびハイブリッド回路（Ｈ２）のＴ２２、Ｔ２３、Ｔ２４の各端子に出力される電圧は、下記（７）式で表される。
【００１５】
【数４】
2005311738.tif 000006
【００１６】
前述の（７）式から分かるように、図２に示すハイブリッド回路（Ｈ１）のＴ１２の端子、および、図２に示すハイブリッド回路（Ｈ２）のＴ２２の端子に、（−ｊＥｉｎ／２）の電圧が出力され、図２に示すハイブリッド回路（Ｈ１）のＴ１３の端子、および、図２に示すハイブリッド回路（Ｈ２）のＴ２３の端子に、（−Ｅｉｎ／２）の電圧が出力される。
また、図２に示すハイブリッド回路（Ｈ１）のＴ１４の端子、および、図２に示すハイブリッド回路（Ｈ２）のＴ２４の端子には出力電圧はなく、さらに、図２に示すハイブリッド回路（Ｈ１）のＴ１１の端子、および、図２に示すハイブリッド回路（Ｈ２）のＴ２１の端子には反射電圧はない。
図２に示す端子（Ｔ１２，Ｔ２２）に（−ｊＥｉｎ／２）の電圧が印加されるときに、第２の分岐・結合器（Ｂ２）の入出力端子（Ｔ２）に合成される電圧（Ｅ０）を求めると下記（８）で表される。
【００１７】
【数５】
2005311738.tif 000007
【００１８】
前述の（８）式から分かるように、分岐・結合器（Ｂ２）の入出力端子（Ｔ２）からは、（−Ｅｉｎ／√２）の電圧が出力される。なお、同軸ケーブル（ｌ２）の長さを調整することにより、分岐・結合器（Ｂ２）の入出力端子（Ｔ２）から出力される電圧の位相を調整することが可能である。
また、図２に示す端子（Ｔ１３，Ｔ２３）に（−Ｅｉｎ／２）の電圧が印加されるときに、第３の分岐・結合器（Ｂ３）の入出力端子（Ｔ３）に合成される電圧（Ｅ０）を求めると下記（９）式で表される。
【００１９】
【数６】
2005311738.tif 000008
【００２０】
図２に示す第３の分岐・結合器（Ｂ４）の入出力端子（Ｔ４）は、アイソレーション端子であるので、出力電圧は零となる。
図１に示す並列形ハイブリッド回路においても、前述の（１）式に示す〔Ｓ〕マトリクスを用いて計算により求めると同様の結果が得られる。
以上説明したように、本実施例では、ｎ個のハイブリッド回路を並列運転することにより、１台のハイブリッド回路の電力容量をＰ（Ｗ）とすると、全体でｎＰ（Ｗ）の電力容量とすることが可能となる。
単体で、大電力用のハイブリッド回路は、ＴＥ１１モードなどの不要モードの干渉あり、広帯域のハイブリッド回路を実現するのは困難である。
しかしながら、本実施例では、電力容量はそれほど大きくはないが、単体で広帯域のハイブリッド回路を並列運転することにより、大電力で広帯域のハイブリッド回路を構成することが可能である。
また、本実施例では、並列運転されるｎ台のハイブリッド回路を流れる電流は、単体で大容量のハイブリッド回路の場合に比して、約（１／ｎ）となる。電流による発熱は、電流の二乗に比例するので、本実施例では、単体で大容量のハイブリッド回路の場合に比して、発熱量を約（１／ｎ２）程度に抑えることが可能である。
さらに、単体で大容量のハイブリッド回路の場合は、入出力端子を構成する同軸給電管の外部導体１４の内径、および内部導体１３の外径を大きくする必要があるが、本実施例では、入出力端子を構成する同軸給電管の外部導体１４の内径、および内部導体１３の外径をそれほど大きくする必要もないので、本実施例では、単体で大容量のハイブリッド回路の場合に比して、ハイブリッド回路の外径寸法が小さくすることも可能である。
【００２１】
図５は、図２に示すハイブリッド回路（Ｈ１，Ｈ２）の実際の構成例を示す平面図である。
図６は、図５に示すハイブリッド回路（Ｈ１，Ｈ２）の一例の上平面を示す平面図であり、図７は、図６に示すハイブリッド回路の、端子Ｔ１方向から見た側面を示す側面図であい、図８は、図７に示すＡ−Ａ’切断線で切断した断面を示す断面図である。
図６〜図８に示すハイブリッド回路は、シールドケース（筐体）１内に、２個の結合線路（１１，１２）が配置され、結合線路１１は、一端が第１の端子Ｔ１の内部導体１３１、他端が第３の端子Ｔ３の内部導体１３３に接続され、結合線路１２は、一端が第２の端子Ｔ２の内部導体１３２に、他端が第４の端子Ｔ４の内部導体１３４に接続される。
この結合線路（１１，１２）は、従来のハイブリッド回路のように、一枚の板状（あるいは、直線状）に形成されるのではなく、一枚の導電板の両側を内側に折り曲げて形成される。
なお、本実施例においても、４個の端子（Ｔ１〜Ｔ４）は、それぞれ内部導体（１３１〜１３４）と外部導体（１４１〜１４４）とで構成される同軸給電管で構成される。
【００２２】
［実施例２］
図９は、本発明の実施例２のＣＩＢ形合波器の回路構成を示す回路図である。
図９に示すように、本実施例のＣＩＢ形合波器は、１個の入出力端子とｎ（ｎ≧２）個の分岐・結合端子を有する４個の分岐・結合器（Ｂ１〜Ｂ４）と、第１群のｎ個のλ／４結合形３ｄＢハイブリッド回路（Ｈ１１〜Ｈ１ｎ）と、第２群のｎ個のλ／４結合形３ｄＢハイブリッド回路（Ｈ２１〜Ｈ２ｎ）と、帯域通過フィルタ（ＢＰＦ１１〜ＢＰＦｎ１，ＢＰＦ１２〜ＢＰＦｎ２）とを組み合わせて構成される。
本実施例において、第１の分岐・結合器（Ｂ１）のｎ個の分岐・結合端子は、それぞれ第１群の各ハイブリッド回路（Ｈ１１〜Ｈ１ｎ）の第１の端子（Ｔ１１１〜Ｔ１ｎ１）に接続され、第４の分岐・結合器（Ｂ４）のｎ個の分岐・結合端子は、それぞれ第１群の各ハイブリッド回路（Ｈ１１〜Ｈ１ｎ）の第４の端子（Ｔ１１４〜Ｔ１ｎ４）に接続される。
第１群の各ハイブリッド回路（Ｈ１１〜Ｈ１ｎ）の第２の端子（Ｔ１１２〜Ｔ１ｎ２）と、第２群の各ハイブリッド回路（Ｈ２１〜Ｈ２ｎ）の第１の端子（Ｔ２１１〜Ｔ２ｎ１）との間には、帯域通過フィルタ（ＢＰＦ１１〜ＢＰＦｎ１）が接続され、第１群の各ハイブリッド回路（Ｈ１１〜Ｈ１ｎ）の第３の端子（Ｔ１１３〜Ｔ１ｎ３）と、第２群の各ハイブリッド回路（Ｈ２１〜Ｈ２ｎ）の第４の端子（Ｔ２１４〜Ｔ２ｎ４）との間には、帯域通過フィルタ（ＢＰＦ１２〜ＢＰＦｎ２）が接続される。
また、第２の分岐・結合器（Ｂ２）のｎ個の分岐・結合端子は、それぞれ第２群の各ハイブリッド回路（Ｈ２１〜Ｈ２ｎ）の第２の端子（Ｔ２１２〜Ｔ２ｎ２）に接続され、第３の分岐・結合器（Ｂ３）のｎ個の分岐・結合端子は、それぞれ第２群の各ハイブリッド回路（Ｈ２１〜Ｈ２ｎ）の第３の端子（Ｔ２１３〜Ｔ２ｎ３）に接続される。
ここで、第１の分岐・結合器（Ｂ１）の入出力端子（Ｔ１）が、ＣＩＢ形合波器の第１の端子、第４の分岐・結合器（Ｂ４）の入出力端子（Ｔ４）が、ＣＩＢ形合波器の第４の端子、第２の分岐・結合器（Ｂ２）の入出力端子（Ｔ２）が、ＣＩＢ形合波器の第２の端子、および、第３の分岐・結合器（Ｂ３）の入出力端子（Ｔ３）が、ＣＩＢ形合波器の第３の端子となる。
【００２３】
本実施例のＣＩＢ形合波器において、ｎが２の場合の回路構成を図１０に示す。
図１０に示す第１の分岐・結合器（Ｂ１）の入出力端子（Ｔ１）に、Ｅｉｎの電圧を入力すると、前述の（４）式に示すように、Ｔ１１１，Ｔ１２１の端子に、（−ｊＥｉｎ／√２）の電圧が出力される。
したがって、前述の（７）式に示すように、第１群のハイブリッド回路（Ｈ１１，Ｈ１２）の出力として、端子（Ｔ１１２，Ｔ１２２）に、（−ｊＥｉｎ／２）の電圧が出力され、端子（Ｔ１１３，Ｔ１２３）に、（−Ｅｉｎ／２）の電圧が出力される。
帯域通過フィルタ（ＢＰＦ１１，ＢＰＦ１２，ＢＰＦ２１，ＢＰＦ２２）の減衰域における反射係数をΓとすると、帯域通過フィルタ（ＢＰＦ１１，ＢＰＦ１２，ＢＰＦ２１，ＢＰＦ２２）の減衰域の周波数において、端子（Ｔ１１２，Ｔ１２２）に、（−ｊΓＥｉｎ／２）の電圧が、端子（Ｔ１１３，Ｔ１２３）に、（−ΓＥｉｎ／２）の電圧が出力される。
この反射電圧による、第１群のハイブリッド回路（Ｈ１１，Ｈ１２）の各端子の出力を求めると、下記（１０）式のようになる。
【００２４】
【数７】
2005311738.tif 000009
【００２５】
この（１０）式から分かるように、第１群のハイブリッド回路（Ｈ１１，Ｈ１２）の端子（Ｔ１１２，Ｔ１２２，Ｔ１２２，Ｔ１２３）に反射電圧が印加されたときに、端子（Ｔ１１１，Ｔ１２１）に出力される電圧は零となるので、入出力端子（Ｔ１）には反射電圧は出力されない。
また、（１０）式から分かるように、第１群のハイブリッド回路（Ｈ１１，Ｈ１２）の端子（Ｔ１１２，Ｔ１１３，Ｔ１２２，Ｔ１２３）に反射電圧が印加されたときには、端子（Ｔ１１４，Ｔ１２４）に（−ΓＥｉｎ／√２）の電圧が出力される。
この電圧は、第４の分岐・結合器（Ｂ４）で合成されるが、その電圧は下記（１１）式で表される。
【００２６】
【数８】
2005311738.tif 000010
【００２７】
また、第１群のハイブリッド回路（Ｈ１１，Ｈ１２）の出力として、端子（Ｔ１１２，Ｔ１２２）に、（−ｊＥｉｎ／２）の電圧が出力され、端子（Ｔ１１３，Ｔ１２３）に、（−Ｅｉｎ／２）の電圧が出力されたときの、第２群のハイブリッド回路（Ｈ２１，Ｈ２２）の端子（Ｔ２１１，Ｔ２２１）に印加される電圧（Ｅ２１１，Ｅ２２１）は、下記（１２）式で、第２群のハイブリッド回路（Ｈ２１，Ｈ２２）の端子（Ｔ２１４，Ｔ２２４）に印加される電圧（Ｅ２１４，Ｅ２２４）は、下記（１３）式で表される。
［数９］
Ｅ２１１＝Ｅ２２１＝−ｊＳｖＥｉｎ／２    ・・・・・・・・・・・・・  （１２）
Ｅ２１４＝Ｅ２２４＝−ＳｖＥｉｎ／２      ・・・・・・・・・・・・・  （１３）
但し、Ｓｖは、帯域通過フィルタ（ＢＰＦ１１，ＢＰＦ１２，ＢＰＦ２１，ＢＰＦ２２）の電圧伝達係数である。
第２群のハイブリッド回路（Ｈ２１，Ｈ２２）の端子（Ｔ２１１，Ｔ２２１）に、（−ｊＳｖＥｉｎ／２）の電圧が、第２群のハイブリッド回路（Ｈ２１，Ｈ２２）の端子（Ｔ２１４，Ｔ２２４）に、（−ＳｖＥｉｎ／２）の電圧が印加されたときに、第２群のハイブリッド回路（Ｈ２１，Ｈ２２）の各端子から出力される電圧を求めると下記（１４）式で表される。
【００２８】
【数１０】
2005311738.tif 000011
【００２９】
この（１４）式から分かるように、入出力端子（Ｔ１）に、Ｅｉｎの電圧を印加したときに、第２群のハイブリッド回路の端子（Ｔ２１３，Ｔ２２３）にのみ、（−ＳｖＥｉｎ／√２）電圧が出力される。第２群のハイブリッド回路の端子（Ｔ２１２，Ｔ２２２）は、不平衡入力端子で、一般的に合成出力は零となる。
第２群のハイブリッド回路の端子（Ｔ２１３，Ｔ２２３）に出力された、（−ＳｖＥｉｎ／√２）電圧は、第３の分岐・結合器（Ｂ３）で合成されるが、その電圧（Ｅ３）は下記（１５）式で表される。
【００３０】
【数１１】
2005311738.tif 000012
【００３１】
なお、Ｅｉｎ２の電圧を、帯域通過フィルタ（ＢＰＦ１１，ＢＰＦ１２，ＢＰＦ２１，ＢＰＦ２２）の減衰域の周波数の電圧とするとき、図１０に示すＣＩＢ形合波器において、入出力端子（Ｔ１）に、Ｅｉｎ１の電圧を、入出力端子（Ｔ２）に、Ｅｉｎ２の電圧を印加すると、入出力端子（Ｔ３）に、Ｅｉｎ１の電圧とＥｉｎ２の電圧とが合成されて出力される。
図９に示すＣＩＢ形合波器においても、前述と同様の結果が得られる。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００３２】
【図１】本発明の実施例１の並列形ハイブリッド回路の回路構成を示す回路図である。
【図２】本発明の実施例１の並列形ハイブリッド回路において、ｎが２のときの回路構成を示す回路図である
【図３】図１に示す分岐・結合器を説明するための図である。
【図４】図１に示すハイブリッド回路を説明するための図である。
【図５】図２に示すハイブリッド回路の実際の構成例を示す平面図である。
【図６】図５に示すハイブリッド回路の一例の上平面を示す平面図である。
【図７】図６に示すハイブリッド回路の、端子Ｔ１方向から見た側面を示す側面図である。
【図８】図７に示すＡ−Ａ’切断線で切断した断面を示す断面図である。
【図９】本発明の実施例２のＣＩＢ形合波器の回路構成を示す回路図である。
【図１０】本発明の実施例２のＣＩＢ形合波器において、ｎが２のときの回路構成を示す回路図である
【図１１】従来のハイブリッド回路の一例の構造を示す模式斜視図である。
【符号の説明】
【００３３】
１  シールドケース
１１，１２  結合線路
１３  内部導体
１４  外部導体
１５  スペーサ
Ｂ１１〜Ｂｎ１，Ｂ１２〜Ｂｎ２  帯域通過フィルタ
Ｂ１〜Ｂ４  分岐・結合器
Ｈ１〜Ｈｎ  λ／４結合形３ｄＢハイブリッド回路
Ｈ１１〜Ｈ１ｎ  第１群のλ／４結合形３ｄＢハイブリッド回路
Ｈ２１〜Ｈ２ｎ  第２群のλ／４結合形３ｄＢハイブリッド回路
ｌ２，ｌｎ  同軸ケーブル
【図１】
2005311738.tif 000013
【図２】
2005311738.tif 000014
【図３】
2005311738.tif 000015
【図４】
2005311738.tif 000016
【図５】
2005311738.tif 000017
【図６】
2005311738.tif 000018
【図７】
2005311738.tif 000019
【図８】
2005311738.tif 000020
【図９】
2005311738.tif 000021
【図１０】
2005311738.tif 000022
【図１１】
2005311738.tif 000023